(57)【要約】【課題】受け取った情報を携帯通信機器の所有者の公用語で出力する機能を、簡易な構成で実現可能な通信方法を得ること。【解決手段】本発明の通信方法は、携帯通信機器（１，２）に対して、当該機器所有者の公用語で記述された定型文と、その定型文に対応する記号、の組み合わせを保持し、ネットワーク制御装置１４に対して、各携帯通信機器（１，２）が保持している定型文の意味と、その定型文に対応する記号、を保持した状態で、たとえば、ネットワーク制御装置１４が、各携帯通信機器（１，２）に対して特定の情報を通知する場合、前記保持した情報から通知すべき内容と同等の意味の定型文を検出し、その定型文に対応する記号を含む信号を送信し、各携帯通信機器（１，２）が、受信信号に含まれる記号を抽出し、前記保持した情報から当該記号に対応する定型文を検出し、その定型文の内容を機器所有者へ通知する。【選択図】      図１
2004328078.tif 000002
【特許請求の範囲】
【請求項１】
特定のネットワークへ接続中の単一または複数の携帯通信機器と、前記ネットワークを構成する装置の一つであるネットワーク制御装置と、の間の通信方法において、
前記各携帯通信機器に対して、当該機器所有者の公用語で記述された定型文と、その定型文に対応する記号、の組み合わせを１種類以上保持しておく第１の初期化ステップと、
前記ネットワーク制御装置に対して、前記各携帯通信機器が保持している各定型文の意味と、それらの定型文に個別に対応する記号、を保持しておく第２の初期化ステップと、
前記ネットワーク制御装置が、前記各携帯通信機器に対して特定の情報を通知する場合、前記第２の初期化ステップにて保持した情報から通知すべき内容と同等の意味の定型文を検出し、その定型文に対応する記号を含む信号を送信する送信ステップと、
前記各携帯通信機器が、受信信号に含まれる記号を抽出し、前記第１の初期化ステップにて保持した情報から当該記号に対応する定型文を検出し、その定型文の内容を所有者へ通知する受信ステップと、
を含むことを特徴とする通信方法。
【請求項２】
特定のネットワークへ接続中の単一または複数の携帯通信機器と、前記ネットワークを構成する装置の一つであるネットワーク制御装置と、の間の通信方法において、
前記各携帯通信機器に対して、当該機器所有者の公用語で記述された定型文と、その定型文に対応する記号、の組み合わせを１種類以上保持しておく第１の初期化ステップと、
前記ネットワーク制御装置に対して、当該装置使用者の公用語で記述された前記各定型文と、それらの定型文に個別に対応する記号、を保持しておく第２の初期化ステップと、
前記装置使用者の操作により特定の定型文が入力された場合、前記ネットワーク制御装置が、前記第２の初期化ステップにて保持した情報から当該定型文を検出し、その定型文に対応する記号を含む信号を前記各携帯通信機器に対して送信する送信ステップと、
前記各携帯通信機器が、受信信号に含まれる記号を抽出し、前記第１の初期化ステップにて保持した情報から当該記号に対応する定型文を検出し、その定型文の内容を所有者へ通知する受信ステップと、
を含むことを特徴とする通信方法。
【請求項３】
特定のネットワークへ接続中の単一または複数の携帯通信機器と、前記ネットワークを構成する装置の一つであるネットワーク制御装置と、の間の通信方法において、
前記各携帯通信機器に対して、当該機器所有者の公用語で記述された定型文と、その定型文に対応する記号、の組み合わせを１種類以上保持しておく初期化ステップと、
前記装置使用者の操作により特定の記号が入力された場合、前記ネットワーク制御装置が、当該記号を含む信号を前記各携帯通信機器に対して送信する送信ステップと、
前記各携帯通信機器が、受信信号に含まれる記号を抽出し、前記初期化ステップにて保持した情報から当該記号に対応する定型文を検出し、その定型文の内容を所有者へ通知する受信ステップと、
を含むことを特徴とする通信方法。
【請求項４】
特定の無線基地局へ接続中の単一または複数の携帯通信機器と、前記無線基地局と有線で接続されたネットワーク制御装置と、の間の通信方法において、
前記各携帯通信機器に対して、当該機器所有者の公用語で記述された定型文と、その定型文に対応する記号、の組み合わせを１種類以上保持しておく第１の初期化ステップと、
前記ネットワーク制御装置に対して、当該装置使用者の公用語で記述された前記各定型文と、それらの定型文に個別に対応する記号、を保持しておく第２の初期化ステップと、
前記装置使用者の操作により特定の定型文が入力された場合、前記ネットワーク制御装置が、前記第２の初期化ステップにて保持した情報から当該定型文を検出し、その定型文に対応する記号を含む信号を前記無線基地局に対して送信する送信ステップと、
前記無線基地局が、受信記号を複製し、複製後の受信信号を前記各携帯通信機器に対して個別に送信する中継ステップと、
前記各携帯通信機器が、受信信号に含まれる記号を抽出し、前記第１の初期化ステップにて保持した情報から当該記号に対応する定型文を検出し、その定型文の内容を所有者へ通知する受信ステップと、
を含むことを特徴とする通信方法。
【請求項５】
特定の無線基地局へ接続中の単一または複数の携帯通信機器と、前記無線基地局と有線で接続されたネットワーク制御装置と、の間の通信方法において、
前記各携帯通信機器に対して、当該機器所有者の公用語で記述された定型文と、その定型文に対応する記号、の組み合わせを１種類以上保持しておく初期化ステップと、
前記装置使用者の操作により特定の記号が入力された場合、前記ネットワーク制御装置が、当該記号を含む信号を前記無線基地局に対して送信する送信ステップと、
前記無線基地局が、受信記号を複製し、複製後の受信信号を前記各携帯通信機器に対して個別に送信する中継ステップと、
前記各携帯通信機器が、受信信号に含まれる記号を抽出し、前記初期化ステップにて保持した情報から当該記号に対応する定型文を検出し、その定型文の内容を所有者へ通知する受信ステップと、
を含むことを特徴とする通信方法。
【請求項６】
前記受信ステップでは、検出した定型文を画面に表示することによって所有者に通知することを特徴とする請求項１〜５のいずれか一つに記載の通信方法。
【請求項７】
前記受信ステップでは、検出した定型文を音声で出力することによって所有者に通知することを特徴とする請求項１〜５のいずれか一つに記載の通信方法。
【請求項８】
特定のネットワークへ接続中の単一または複数の携帯通信機器宛てに所定の情報を送信するネットワーク制御装置において、
前記各携帯通信機器が保持している各定型文の意味または装置使用者の公用語で記述された前記各定型文と、それらの定型文に個別に対応する記号、を保持し、当該保持した情報から通知すべき内容と同等の意味の定型文を検出し、その定型文に対応する記号を含む信号を前記所定の情報として前記各携帯通信機器に対して送信する送信制御手段、
を備えることを特徴とするネットワーク制御装置。
【請求項９】
特定のネットワークを構成する装置の一つであるネットワーク制御装置から所定の情報を受信する携帯通信機器において、
機器所有者の公用語で記述された定型文と、その定型文に対応する記号、の組み合わせを１種類以上保持し、前記所定の情報として受信する信号に含まれる記号を抽出し、前記保持した情報から当該記号に対応する定型文を検出し、その定型文の内容を機器所有者へ通知する受信制御手段、
を備えることを特徴とする携帯通信機器。
【請求項１０】
ネットワーク制御装置が特定のネットワークへ接続中の単一または複数の携帯通信機器宛てに所定の情報を送信するための制御プログラムであって、
前記各携帯通信機器が保持している各定型文の意味または装置使用者の公用語で記述された前記各定型文と、それらの定型文に個別に対応する記号、を保持する初期化ステップと、
保持した情報から通知すべき内容と同等の意味の定型文を検出し、その定型文に対応する記号を含む信号を前記所定の情報として前記各携帯通信機器に対して送信する送信ステップと、
をコンピュータ（ネットワーク制御装置）に実行させることを特徴とする制御プログラム。
【請求項１１】
携帯通信機器が特定のネットワークを構成する装置の一つであるネットワーク制御装置から所定の情報を受信するための制御プログラムであって、
機器所有者の公用語で記述された定型文と、その定型文に対応する記号、の組み合わせを１種類以上保持する初期化ステップと、
前記所定の情報として受信する信号に含まれる記号を抽出し、前記保持した情報から当該記号に対応する定型文を検出し、その定型文の内容を機器所有者へ通知する受信ステップと、
をコンピュータ（携帯通信機器）に実行させることを特徴とする制御プログラム。
【発明の詳細な説明】
【０００１】
【発明の属する技術分野】
本発明は、ネットワーク制御装置と携帯通信機器との間の通信方法に関するものであり、特に、ネットワーク制御装置から携帯通信機器への情報通知を機器所有者の公用語で実現可能な通信方法に関するものである。
【０００２】
【従来の技術】
以下、従来の通信システムについて説明する。ここでは、携帯通信機器の所有者が使用する公用語と異なる言語を使用する国のネットワークへ接続している場合の、携帯通信機器間もしくは携帯通信機器とネットワーク制御装置との間の通信方法について説明する。このような場合に、双方が理解できる言語で通信する方法としては、たとえば、携帯通信機器に言語変換機能を具備する方法がある。
【０００３】
特許文献１では、携帯通信機器に言語変換機能を具備する場合の一例として、現地の状況に合わせて対応する必要がある言語や通貨等を扱う処理に、国際ローミングが可能な無線電話システムを利用する。具体的にいうと、日本を母国とするユーザが、たとえば、米国において携帯通信機器を使用する場合、その携帯通信機器は、位置登録時に米国の基地局から当該国のＩＤコードを取得する。そして、ユーザの母国語である日本語と、取得したＩＤコードで示される米国の言語である英語と、を変換するための辞書機能を選択する。これにより、ユーザが一々設定を切り替える操作を行うことなく、携帯通信機器の処理によって辞書機能に自動的に切り替えることができる。すなわち、携帯通信機器に付随している複数の言語変換辞書機能から、日本語／英語の言語変換辞書機能を自動的に選択する。
【０００４】
また、特許文献２では、携帯通信機器に言語変換機能を具備する場合の一例として、たとえば、衛星通信用の携帯通信機器が、使用者が世界のどこにいる場合であっても、登録されている電話番号やフレーズを自動的に現地に合わせて変換できるようにする。具体的にいうと、現在位置を交換局との交信により検出する機能と、特定電話番号をその位置により変換する機能と、時計の時間帯を現地時間帯に変換する機能と、国際電話コードをその位置により変換する機能と、緊急メッセージをその位置による言語に変換する機能と、旅行用会話文をその位置の言語に変換する機能、を用いて、携帯通信機器を使用者の現在位置に対応させる。そして、特定電話番号等を自動的にその位置に対応する電話番号等に変換する。
【０００５】
【特許文献１】
特開２００１−３６９６６号公報  （図１）
【特許文献２】
特開２０００−２６１５７３号公報  （図１）
【０００６】
【発明が解決しようとする課題】
しかしながら、上記従来の通信方法においては、すなわち、上記携帯通信機器に言語変換機能を具備する方法では、携帯通信機器を接続できる国や地域の言語全てに対応する言語変換機能が必要となり、言語変換機能が複雑になる、という問題があった。また、携帯通信機器に要求される小型化および軽量化と、複雑な言語変換機能の実装、の両立は困難である、という問題があった。
【０００７】
本発明は、上記に鑑みてなされたものであって、受け取った情報を携帯通信機器の所有者の公用語で出力する機能を、簡易な構成で実現可能な通信方法を得ることを目的とする。
【０００８】
【課題を解決するための手段】
上述した課題を解決し、目的を達成するために、本発明にかかる通信方法にあっては、特定のネットワークへ接続中の単一または複数の携帯通信機器と、前記ネットワークを構成する装置の一つであるネットワーク制御装置と、の間の通信方法であって、たとえば、前記各携帯通信機器に対して、当該機器所有者の公用語で記述された定型文と、その定型文に対応する記号、の組み合わせを１種類以上保持しておく第１の初期化ステップと、前記ネットワーク制御装置に対して、前記各携帯通信機器が保持している各定型文の意味と、それらの定型文に個別に対応する記号、を保持しておく第２の初期化ステップと、前記ネットワーク制御装置が、前記各携帯通信機器に対して特定の情報を通知する場合、前記第２の初期化ステップにて保持した情報から通知すべき内容と同等の意味の定型文を検出し、その定型文に対応する記号を含む信号を送信する送信ステップと、前記各携帯通信機器が、受信信号に含まれる記号を抽出し、前記第１の初期化ステップにて保持した情報から当該記号に対応する定型文を検出し、その定型文の内容を所有者へ通知する受信ステップと、を含むことを特徴とする。
【０００９】
この発明によれば、携帯通信機器を接続可能な国や地域の言語全てに対応した言語変換機能を必要としないこととした。具体的にいうと、ネットワーク制御装置から携帯通信機器への情報通知を定型文に対応する記号で行うこととした。
【００１０】
【発明の実施の形態】
以下に、本発明にかかる通信方法の実施の形態を図面に基づいて詳細に説明する。なお、この実施の形態によりこの発明が限定されるものではない。
【００１１】
実施の形態１．
図１は、本発明にかかる通信方法を実現する通信システムの実施の形態１の構成を示す図である。本実施の形態の携帯通信機器１は、メモリ１１と制御装置１２と出力装置１３を備える。メモリ１１は、携帯通信機器１の所有者の公用語で記述された定型文と、その定型文に対応する記号（数字やアルファベット等）、の組み合わせを１種類以上保持する。制御装置１２は、携帯通信機器１を制御する。出力装置１３は、画面表示や音声出力等のユーザインタフェースを制御する。なお、図示の携帯通信機器２は、上記携帯通信機器１と同様の機能を備える。また、携帯通信機器１と携帯通信機器２は、それぞれのメモリに保持している定型文の意味と、その定型文に対応する記号、が同一である。ただし、定型文の意味が同一とは、たとえば、携帯通信機器の所有者の公用語が異なる場合、定型文の記述言語は異なるが定型文の表す意味が同一ということを表している。
【００１２】
また、本実施の形態のネットワーク３は、ネットワーク制御装置１４を備える。ネットワーク制御装置１４は、携帯通信機器１と携帯通信機器２が保持している各定型文の意味と、それらの定型文に個別に対応する記号、を保持する。また、ネットワーク制御装置１４は、ネットワーク３に接続している携帯通信機器（単一または複数）に対して、定型文に対応した記号を無線通信によって送信する。
【００１３】
ここで、上記通信システムにおける各装置の動作（通信方法）を説明する。たとえば、ネットワーク制御装置１４がネットワーク３へ接続している携帯通信機器１と携帯通信機器２に対して情報を通知する場合、ネットワーク制御装置１４では、通知する内容と同等の意味の定型文を検出し、その定型文に対応する記号を含む信号を携帯通信機器１と携帯通信機器２に対して送信する（特許請求の範囲の送信制御手段の処理、およびネットワーク制御装置に実行させる制御プログラムに相当）。記号を送信する方式としては、たとえば、携帯電話のサービスであるＵＵＩ（Ｕｓｅｒ−ｔｏ−Ｕｓｅｒ  Ｉｎｆｏｒｍａｔｉｏｎ）やＳＭＳ（Ｓｈｏｒｔ  Ｍｅｓｓａｇｅ  Ｓｅｒｖｉｃｅ）を使用する。また、パケット通信プロトコルであるＩＰｖ４やＩＰｖ６等を使用してもよい。
【００１４】
上記信号を受信した携帯通信機器（１，２）では、制御装置１２が、受信信号から記号を抽出し、メモリ１１に保持している情報からその記号に対応する定型文を検出する。そして、出力装置１３が、検出した定型文を画面への文字表示や音声等によって携帯通信機器の所有者へ通知する（特許請求の範囲の受信制御手段の処理、および携帯通信機器に実行させる制御プログラムに相当）。
【００１５】
つづいて、上記通信方法を、第１の具体例（画面表示の場合）を用いて詳細に説明する。図２は、本実施の形態の通信方法の第１の具体例を示す図である。ここでは、一例として、災害発生時の情報通知について説明する。なお、ネットワーク２１については、前述のネットワーク３と同様の機能を備えるものとし、携帯通信機器２２，２３，２４，２５については、前述の携帯通信機器１と同様の機能を備えるものとする。
【００１６】
また、携帯通信機器２２〜２５の所有者はそれぞれ異なる公用語を使用しているものとし、たとえば、携帯通信機器２２の所有者の公用語は日本語とし、携帯通信機器２３の所有者の公用語は英語とし、携帯通信機器２４の所有者の公用語はフランス語とし、携帯通信機器２５の所有者の公用語はドイツ語とする。また、携帯通信機器間では、各メモリに保持している定型文の意味と、その定型文に対応する記号、が同一であることを前提とする。また、携帯通信機器２２〜２５は、“緊急事態発生”という意味の定型文と、その定型文に対応する記号“１”、の組み合わせを保持する。さらに、ここでは、ネットワーク２１が、“緊急事態発生”をいう意味の定型文と、その定型文に対応する記号“１”、の組み合わせを保持する。
【００１７】
たとえば、ある地域で災害が発生した場合、ネットワーク２１は、その災害発生地域内でネットワーク２１に接続中の携帯通信機器に対して、記号“１”を含んだ信号を送信する。そして、携帯通信機器２２〜２５は、受信信号から記号“１”を検出し、さらに、内部のメモリ１１から記号“１”に対応する定型文“緊急事態発生”を検出し、各携帯通信機器の所有者の公用語で定型文“緊急事態発生”を表示する。なお、携帯通信機器内部のメモリで保持している定型文は、所有者の公用語で記述されている。
【００１８】
つづいて、上記通信方法を、第２の具体例（音声出力の場合）を用いて詳細に説明する。図３は、携帯通信機器２２の構成例を示す図である。ここでは、携帯通信機器２２〜２５およびネットワーク２１は、“緊急事態発生、避難してください”という意味の定型文と、その定型文に対応する記号“Ｃ”、の組み合わせを保持する。なお、システム構成については先に説明した図２と同一であり、ここでは、上記第１の具体例と異なる動作についてのみ説明する。
【００１９】
たとえば、ある地域で災害が発生した場合、ネットワーク２１は、その災害発生地域内でネットワーク２１に接続中の携帯通信機器（２２〜２５）に対して、記号“Ｃ”を含んだ信号を送信する。そして、携帯通信機器２２では、制御装置１２が、受信信号から記号“Ｃ”を検出し、さらに、内部のメモリ１１から記号“Ｃ”に対応する定型文“緊急事態発生、避難してください”を検出し、出力装置１３が、携帯通信機器２２の所有者の公用語である日本語で「緊急事態発生、避難してください」を音声出力する。
【００２０】
このように、本実施の形態においては、携帯通信機器を接続可能な国や地域の言語全てに対応した言語変換機能を必要としないこととした。具体的にいうと、ネットワーク制御装置から携帯通信機器への情報通知を定型文に対応する記号で行うこととした。これにより、ネットワーク制御装置と携帯通信機器が言語の種類を意識することなく、簡易な構成で、通知情報を携帯通信機器の所有者が使用している公用語により通知できる。また、携帯通信機器が具備する機能が簡易であるため、装置の小型化や軽量化を実現できる。また、ネットワーク制御装置が携帯通信機器の所有者の公用語を意識する必要がないため、携帯通信機器を接続可能な国や地域の言語に関する情報を管理する必要がない。
【００２１】
なお、上記制御プログラムは、たとえば、各種不揮発性メモリ，ＣＤ−ＲＯＭ，フロッピー（Ｒ）ディスク等の磁気ディスク，光磁気ディスク，磁気テープ等の記録媒体により提供可能である。
【００２２】
実施の形態２．
図４は、本発明にかかる通信方法を実現する通信システムの実施の形態２の構成を示す図である。本実施の形態のネットワーク３ａは、ネットワーク制御装置１４ａを備え、無線通信により携帯通信機器１，２，３，４（携帯通信機器３，４の構成は前述した携帯通信機器１と同様）と接続する。
【００２３】
また、本実施の形態のネットワーク制御装置１４ａは、ネットワーク３ａを構成する装置の一つであり、たとえば、操作装置３１とメモリ３２と制御装置３３と信号生成装置３４を備える。操作装置３１は、保守者やオペレータがネットワーク制御装置１４ａにコマンド（定型文や記号）を投入する機能を有する。なお、操作装置３１は、ネットワーク制御装置１４ａとは独立した装置としてケーブル等で接続する構成としてもよいし、ネットワーク制御装置１４ａの内部に組み込まれた構成としてもよい。メモリ３２は、ネットワーク３ａに接続中の携帯通信機器１〜４が保持している各定型文の意味（ネットワーク制御装置１４ａの保守者やオペレータの公用語で記述された定型文）と、それら定型文に個別に対応する記号と、を保持する。なお、メモリ３２は、ネットワーク制御装置１４ａの外部装置として存在する構成としてもよいし、内部装置として存在する構成としてもよい。制御装置３３はネットワーク制御装置１４ａを制御する。信号生成装置３４は定型文に対応する記号を含む信号を生成して送信する。
【００２４】
ここで、上記通信システムにおける各装置の動作（通信方法）を説明する。なお、先に説明した実施の形態１と同様の構成については、同一の符号を付してその説明を省略する。ここでは、実施の形態１と異なる動作についてのみ説明する。
【００２５】
たとえば、ネットワーク制御装置１４ａの保守者やオペレータが携帯通信機器１〜４に対して通知する定型文を操作装置３１から入力した場合、制御装置３３では、メモリ３２に保持している情報から定型文に対応する記号を検出する。なお、上記定型文に対応する記号が操作装置３１から入力された場合は、この検出処理は省略される。そして、信号生成装置３４では、制御装置３３からの指示で、上記定型文に対応する記号を含む信号を生成し、その信号を携帯通信機器１〜４に対して送信する（特許請求の範囲の送信制御手段の処理、およびネットワーク制御装置に実行させる制御プログラムに相当）。
【００２６】
このように、本実施の形態では、制御装置３３が、操作装置３１からの指示（定型文入力）に基づいて記号の検索処理および送信信号の生成指示を行うことによって、ネットワーク制御装置から携帯通信機器への情報通知を定型文に対応する記号で行うこととした。これにより、先に説明した実施の形態１と同様の効果を得ることができる。
【００２７】
実施の形態３．
図５は、本発明にかかる通信方法を実現する通信システムの実施の形態３の構成を示す図である。本実施の形態のネットワーク３ｂは、ネットワーク制御装置１４ｂと無線基地局４１とを備え、無線通信により携帯通信機器１，２，３，４と接続する。
【００２８】
本実施の形態の無線基地局４１は、ネットワーク３ｂを構成する装置の一つであり、ネットワーク制御装置１４ｂと有線通信により接続し、携帯通信機器１〜４と無線通信により接続する。また、無線基地局４１は、ネットワーク制御装置１４ｂから送信される所定の記号を含んだ信号（単一の信号）を複製し、複製した信号を携帯通信機器１〜４に対して同時に送信する。なお、ネットワーク３ｂのその他の機能は、先に説明した実施の形態２のネットワーク３ａと同様である。また、ネットワーク制御装置１４ｂは、所定の記号を含んだ単一信号を生成する処理以外は、基本的に実施の形態２のネットワーク制御装置１４ａと同様の処理を行う。
【００２９】
ここで、上記通信システムにおける各装置の動作（通信方法）を説明する。なお、先に説明した実施の形態１または２と同様の構成については、同一の符号を付してその説明を省略する。ここでは、実施の形態２と異なる動作についてのみ説明する。
【００３０】
たとえば、ネットワーク制御装置１４ｂでは、無線基地局４１に対して定型文に対応する記号を含んだ信号（単一信号）を送信する。そして、無線基地局４１では、ネットワーク制御装置１４ｂから受信した信号を複製し、複製した信号を、無線通信により接続中の携帯通信機器１〜４に対して個別に割り当てて送信する。
【００３１】
このように、本実施の形態では、無線基地局４１が、ネットワーク制御装置１４ｂが生成した単一信号を複製し、接続中の携帯通信機器１〜４に対して複製した信号を個別に割り当てて送信することとした。これにより、先に説明した実施の形態１と同様の効果が得られるとともに、さらに、ネットワーク内の伝達信号量を増加させることなく、複数の携帯通信機器への情報通知を実現できる。
【００３２】
【発明の効果】
以上、説明したとおり、本発明によれば、携帯通信機器を接続可能な国や地域の言語全てに対応した言語変換機能を必要としないこととした。具体的にいうと、ネットワーク制御装置から携帯通信機器への情報通知を定型文に対応する記号で行うこととした。これにより、ネットワーク制御装置と携帯通信機器が言語の種類を意識することなく、簡易な構成で、通知情報を携帯通信機器の所有者の公用語により通知できる、という効果を奏する。また、携帯通信機器が具備する機能が簡易であるため、装置の小型化や軽量化を実現できる、という効果を奏する。また、ネットワーク制御装置が携帯通信機器の所有者の公用語を意識する必要がないため、携帯通信機器を接続可能な国や地域の言語に関する情報を管理する必要がない、という効果を奏する。
【図面の簡単な説明】
【図１】実施の形態１の構成を示す図である。
【図２】実施の形態１の通信方法の具体例を示す図である。
【図３】携帯通信機器の構成例を示す図である。
【図４】実施の形態２の構成を示す図である。
【図５】実施の形態３の構成を示す図である。
【符号の説明】
１，２，２２，２３，２４，２５  携帯通信機器、３，３ａ，３ｂ，２１  ネットワーク、１１  メモリ、１２，３３  制御装置、１３  出力装置、１４，１４ａ，１４ｂ  ネットワーク制御装置、３１  操作装置、３２  メモリ、３４  信号生成装置、４１  無線基地局。
【図１】
2004328078.tif 000003
【図２】
2004328078.tif 000004
【図３】
2004328078.tif 000005
【図４】
2004328078.tif 000006
【図５】
2004328078.tif 000007